(57)【要約】【課題】  メダル投入に関する不正行為を防止することが可能な遊技台を提供すること。【解決手段】  投入されるメダルが通過する通路に配設され、メダルの通過を検出する検出手段を備えた遊技台において、メダルの投入口から前記検出手段に至る、前記通路の長さが変更可能であることを特徴とする。【選択図】  図７
2005288006.tif 000002
【特許請求の範囲】
【請求項１】
投入されるメダルが通過する通路に配設され、メダルの通過を検出する検出手段を備えた遊技台において、
メダルの投入口から前記検出手段に至る、前記通路の長さが変更可能であることを特徴とする遊技台。
【請求項２】
前記通路を形成すると共に前記検出手段が配設された、正規のメダルを選別するためのメダルセレクタを備え、
前記メダルセレクタは、前記通路の長さが変更されるように、その取付位置が調整可能に配設されることを特徴とする請求項１に記載の遊技台。
【請求項３】
前記メダルセレクタは、当該メダルセレクタのメダルの受入部と、前記メダル投入口との間の長さが変更されるように、その取付位置が調整可能に配設されることを特徴とする請求項２に記載の遊技台。
【請求項４】
前記メダルセレクタは、当該メダルセレクタの前記遊技台に対する取付位置を調整する固定部材を介して前記遊技台に配設されることを特徴とする請求項２又は３に記載の遊技台。
【請求項５】
前記メダルセレクタは、予め定めた複数の位置のいずれかにおいて前記固定部材に取り付けられることを特徴とする請求項４に記載の遊技台。
【請求項６】
前記メダルセレクタは、予め定めた範囲のいずれかの位置において前記固定部材に取り付けられることを特徴とする請求項４に記載の遊技台。
【請求項７】
前記メダルの投入口を形成するメダル投入ブロックを備え、
前記メダル投入ブロックは、前記通路の長さが変更されるように、その取付位置が調整可能に配設されることを特徴とする請求項１乃至６のいずれかに記載の遊技台。
【請求項８】
前記メダル投入ブロックは、前記メダル投入口と、前記メダルセレクタのメダルの受入部と、の間の長さが変更されるように、その取付位置が調整可能に配設されることを特徴とする請求項７に記載の遊技台。
【発明の詳細な説明】
【技術分野】
【０００１】
本発明はスロットマシンに代表される遊技台に関し、特に、メダル投入に関する不正行為を防止する技術に関する。
【背景技術】
【０００２】
スロットマシンのようにメダルを投入して遊技を行い、遊技結果に応じてメダルの払出しを受ける遊技台では、正規のメダルを選別するメダルセレクタが設けられている（例えば、特許文献１参照。）。このメダルセレクタは、メダル投入口から通じるメダルの通路を形成すると共に、正規のメダルと大きさの異なる偽のメダルが投入されると、その通路から脱落させてメダルの受皿に排出する機構を備えている。また、メダルの通路には投入されたメダルの数をカウントするために、メダルの通過を検出するセンサが配設されている。このセンサは、通常、光学式センサが採用され、通路に沿って例えば２つ設けられる。図１１（ａ）は２つのセンサによるメダルの通過の検出態様を示すタイミングチャートである。センサ１とセンサ２とは通路に沿ってずれて配置されているため、メダルが通路を通過すると、まず、センサ１がＯＮになる。続いてセンサ２がＯＮとなる。次に、センサ１がＯＦＦとなり、センサ２がＯＦＦとなる。そして、遊技台の制御部は、センサ１とセンサ２のＯＮ−ＯＦＦが同図のシーケンスで行われた場合に、メダルが正常に通過したと判断し、メダルの有効な投入数として１つカウントすることになる。
【０００３】
【特許文献１】特開２００１―１７６１１号公報
【発明の開示】
【発明が解決しようとする課題】
【０００４】
一方、このようなメダルの検出原理に着目し、特殊な器具による不正行為が行われている。図１２は不正行為に用いられる器具の構成図である。この基部は、メダルセレクタのメダルの通路の形状に沿って湾曲したプラスチック等の基材１と、基材１の一方の端部に設けられたスイッチ２と、制御回路３と、メダルセレクタの２つのセンサの配置に合わせて設けられた２つの発光素子４と、電気回路３と発光素子４を接続する信号線５とを備える。制御回路３はスイッチ２が押圧されると発光素子４を所定周期で点滅させるものである。
【０００５】
しかして、この器具は発光素子４側を先頭にしてメダル投入口からメダルセレクタ内に、発光素子４が丁度メダルセレクタの２つのセンサに到達するまで挿入される。そして、スイッチ２を押圧することで発光素子４を発光させる。この時、２つの発光素子４は、若干タイミングをずらして発光と消灯とを繰り返すように制御回路３により駆動される。その結果、メダルセレクタの２つのセンサは、例えば、図１１（ｂ）に示すように実際にメダルが通過した場合と同じシーケンスでＯＮ−ＯＦＦする。このため、発光素子４の点滅がメダルの通過として検出されしまい、メダルが投入されていないのに、メダルが投入されたものとしてカウントされてしまうことになる。しかも、発光素子４が高速で点滅するため、一瞬にして電子的に貯留されるクレジットが満杯になる（スロットマシンの場合、通常５０枚が最大である。）。
【０００６】
以上のような問題点に鑑み、本発明の目的は、メダル投入に関する不正行為を防止することが可能な遊技台を提供することにある。
【課題を解決するための手段】
【０００７】
本発明によれば、投入されるメダルが通過する通路に配設され、メダルの通過を検出する検出手段を備えた遊技台において、メダルの投入口から前記検出手段に至る、前記通路の長さが変更可能であることを特徴とする遊技台が提供される。
【０００８】
なお、本発明の遊技台は、複数種類の絵柄が施され、回転駆動される複数のリールと、複数種類の入賞役の内部当選の当否を抽選により判定する抽選手段と、前記リールの回転を開始させるためのスタートスイッチと、各々の前記リールに対応して設けられ、前記リールの回転を個別に停止させるための停止スイッチと、前記抽選手段の抽選結果に基づいて、前記リールの停止制御を行うリール停止制御手段と、停止時の前記リールにより表示された前記絵柄の組合せが、予め定めた絵柄の組合せであるか否かに基づいて入賞を判定する入賞判定手段と、を備え、前記入賞判定の判定結果に基づいてメダルを払い出す遊技台とすることができる。
【発明の効果】
【０００９】
本発明によれば、メダル投入に関する不正行為を防止することができる。
【発明を実施するための最良の形態】
【００１０】
＜第１実施形態＞
以下、本発明の実施形態について図面を参照して説明する。図１は、本発明の一実施形態に係るスロットマシン１００の外観斜視図である。スロットマシン１００は、メダルの投入により遊技が開始され、遊技の結果によりメダルが払い出されるものである。
【００１１】
＜全体構成＞
スロットマシン１００の本体１０１の中央内部には、外周面に複数種類の絵柄が配置されたリールが３個（左リール１１０、中リール１１１、右リール１１２）収納され、スロットマシン１００の内部で回転できるように構成されている。本実施形態において、各絵柄は帯状部材に等間隔で適当数印刷され、この帯状部材が所定の円形枠材に貼り付けられて各リール１１０乃至１１２が構成されている。リール１１０乃至１１２上の絵柄は、遊技者から見ると、絵柄表示窓１１３から縦方向に概ね３つ表示され、合計９つの絵柄が見えるようになっている。そして、各リール１１０乃至１１２を回転させることにより、遊技者から見える絵柄の組み合せが変動することとなる。なお、本実施形態では、３個のリールをスロットマシン１００の中央内部に備えているが、リールの数やリールの設置位置はこれに限定されるものではない。
【００１２】
また、各々のリール１１０乃至１１２の背面には、絵柄表示窓１１３に表示される個々の絵柄を照明するためのバックライト（図示省略）が配置されている。バックライトは、各々の絵柄ごとに遮蔽されて個々の絵柄を均等に照射できるようにすることが望ましい。なお、スロットマシン１００内部において各々のリール１１０乃至１１２の近傍には、投光部と受光部からなる光学式センサ（図示せず）が設けられており、この光学式センサの投光部と受光部のあいだを、リールに設けられた一定の長さの遮光片が通過するように構成されている。このセンサの検出結果に基づいてリール上の絵柄の回転方向の位置を判断し、目的とする絵柄が入賞ライン１１４上に表示されるようにリール１１０乃至１１２を停止させる。
【００１３】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００１４】
スタートランプ１２１は、リール１１０乃至１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要）を遊技者に知らせるランプである。告知ランプ１２３は、後述する内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、後述するメダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００１５】
メダル投入ボタン１３０、１３１は、スロットマシン１００に電子的に貯留されているメダルを所定の枚数分投入するためのボタンである。本実施形態においては、メダル投入ボタン１３０が押下される毎に１枚ずつ最大３枚まで投入され、メダル投入ボタン１３１が押下されると３枚投入されるようになっている。メダル投入ブロック１３４は、遊技を開始するに当たって遊技者がメダルを投入するためのメダル投入口を形成するブロックである。すなわち、メダルの投入は、メダル投入ボタン１３０又は１３１により電子的に投入することもできるし、メダル投入ブロック１３４のメダル投入口から実際のメダルを投入することもできる。
【００１６】
スタートレバー１３５は、遊技の開始操作を行うためのレバー型のスイッチである。即ち、メダル投入ブロック１３４のメダル投入口に所望する枚数のメダルを投入して、スタートレバー１３５を操作すると、これを契機としてリール１１０乃至１１２が回転し、遊技が開始される。ストップボタン１３７乃至１３９は、スタートレバー１３５の操作によって回転を開始したリール１１０乃至１１２に対する停止操作を行うためのボタンであり、各リール１１０乃至１１２に対応して設けられている。そして、いずれかのストップボタン１３７乃至１３９を操作すると対応するいずれかのリール１１０乃至１１２が停止することになる。
【００１７】
精算ボタン１３２は、スロットマシン１００に電子的に貯留されたメダル及びベットされたメダルを精算し、メダル払出口１５５より受皿２１０に排出するためのボタンである。メダル返却ボタン１３３は、投入されたメダルが詰まった場合に押下してメダルを取り除くためのボタンである。ドアキー１４０は、スロットマシン１００の前面扉１０２のロックを解除するためのキーを挿入する孔である。メダル払出口１５５は、メダルを払出すための払出口である。メダル受皿２１０は、メダル払出口１５５から払出されたメダルを溜めるための器である。なお、メダル受皿２１０は、本実施形態では発光可能な受皿を採用しており、以下受け皿ランプと呼ぶこともある。
【００１８】
音孔１６０は、スロットマシン１００内部に設けられているスピーカの音を外部に出力するための孔である。上部ランプ１５０、サイドランプ１５１、中央ランプ１５２、腰部ランプ１５３、下部ランプ１５４、受皿ランプ２１０は、遊技を盛り上げるための装飾用のランプである。灰皿部２００は、煙草の吸殻を入れるための容器であり、受け皿２１０の内側にネジ止めされている。リールパネル１６１は、絵柄表示窓１１３を有するパネルであり、タイトルパネル１６２は、そのスロットマシンの機種名や各種のデザインが描かれるパネルである。演出装置６００は、液晶表示装置を含み、各種の情報が表示される。
【００１９】
＜メダルセレクタ＞
スロットマシン１００にはメダル投入ブロック１３４のメダル投入口から投入されるメダルが通過する通路を形成すると共に、正規のメダルを選別するメダルセレクタが設けられている。図５（ａ）はメダルセレクタ２０の分解斜視図、図７はメダルセレクタ２０におけるメダルの通過態様を示す図である。このメダルセレクタ２０は、本体部２１と、本体部２１と着脱可能なガイド部材２２と、本体部２１の下部に着脱可能なカバー部材２３と、を備える。
【００２０】
本体部２１はガイド板部２１ａを備えており、ガイド部材２２を本体部２１に取り付けた状態では、ガイド部材２２のガイド板部２２ａとガイド板部２１ａとが隙間を置いて対向して配置されてメダルの通路の入口となる受入部が形成される。図７に示すようにメダルはまず、この受入部を通過する（同図のＡ参照）。本体部２１には断面Ｌ字型の下側のガイドレール部２１ｂと上側のガイドレール部２１ｃとが設けられており、投入されたメダルは図７に示すようにこれらのガイドレール部２１ｂ及び２１ｃに沿ってメダルセレクタ２０内を転動して通過する。ガイド部材２２には、メダルの通路に直交する方向に回動可能なガイド片２２ｂが設けられ、通過するメダルの側面に当接してメダルをガイドレール部２１ｂ及び２１ｃ側へ押圧し、案内する。
【００２１】
ガイドレール部２１ｃは通過するメダルの上端の僅かな範囲を案内するように設定されており、正規のメダルよりも小さな偽のメダルが通過しようとすると、図７のＢの位置でガイドレール部２１ｃに案内されず、ガイド片２２ｂの押圧により脱落することになる。なお、メダル投入ブロック１３４のメダル投入口の穴は正規のメダルと略ピッタリの大きさと成っているため、正規のメダルよりも大きな偽のメダルはメダル投入ブロック１３４のメダル投入口から投入することができない。一方、本体部２１にはメダルの通路に直交する方向に回動可能な可動片２１ｄが設けられている。そして、メダル詰まりが生じた場合にはメダル返却ボタン１３３を押圧することで、可動片２１ｄがメダル通路側へ回動して詰まったメダルがメダルセレクタ２０から脱落することになる。また、本体部２１には、メダルの通路に直交する方向に回動可能なメダルブロッカ２１ｅと、メダルブロッカ２１ｅに回動力を付勢する電磁ソレノイド２１ｆが設けられており、スタートレバー１３５の操作後等のメダルの投入が行われない状態では図７のＣの位置をメダルが通過できないようにメダルブロッカ２１ｅを返却状態（メダルブロッカ２１ｅがメダルの通路に突出してメダル通路が閉じられた状態）とする。
【００２２】
一方、本体部２１及びガイド部材２２により形成されるメダルの通路の下流端にはセンサユニット２１ｇが配置されている。図５（ｂ）に示すようにセンサユニット２１ｇは、メダル投入数検出用の２つのメダル投入センサ３２０ａ及び３２０ｂ（総称する時はメダル投入数検出用センサ３２０という。）が内蔵されている。メダル投入数検出用センサ３２０は光学式のセンサであり、図５（ｃ）に示すように受光素子と発光素子とを備え、これらの間をメダルが通過し（図７のＤの位置を参照）、発光素子からの光が遮断されることでメダルの通過を検出する。図５（ｂ）及び図７に示すように、メダル投入センサ３２０ａ及び３２０ｂはメダルの通路に沿って配置されており、メダル投入センサ３２０ａが通路の上流側に、メダル投入センサ３２０ｂが通路の下流側に配設されている。なお、本実施形態ではメダル投入数検出用センサ３２０を２組設けているが、これに限られず、一つでもよいし３以上設けてもよい。
【００２３】
さて、このような構成からなるメダルセレクタ２０では、図７に示すようにメダル投入ブロック１３４のメダル投入口から投入されたメダルは受入部をまず通過し（同図Ａ）、ガイドレール部２１ｂ及び２１ｃに案内されてメダルセレクタ２０内を転動していく（同図Ｂ乃至Ｄ）。この際、正規のメダルよりも小さい偽のメダルは、上述した作用により選別されて脱落し、メダル払出口１５５へ至り、遊技者に返却されることになる。正規のメダルは同図のＤの位置においてメダル投入数検出用センサ３２０により通過が検出され、通路を通過することになる。その後、同図Ｅに示すようにメダル払出装置へ向けてメダルセレクタ２０から出て行くことになる。
【００２４】
＜不正行為の防止構造＞
次に、本実施形態における、図１２の器具を用いた不正行為の防止構造について説明する。上述した通り、図１２の器具を用いた不正行為では、図１２の器具の発光素子４側を先頭にしてメダル投入口からメダルセレクタ２０内に、発光素子４が丁度メダルセレクタ２０のメダル投入数検出用センサ３２０に到達するまで挿入される。そして、スイッチ２を押圧することで発光素子４を発光させ、メダル投入数検出用センサ３２０がこれをメダルの通過として検出してしまうことを利用する。
【００２５】
ここで、図１２の器具を用いた不正行為では、２つの発光素子４とメダル投入センサ３２０ａ及び３２０ｂとの対応がぴったり合うように発光素子４が位置決めされなければならない。これは、図１１（ａ）を参照して上述した通り、２つのセンサ（メダル投入センサ３２０ａ及び３２０ｂ）の検出結果が、図１１（ａ）に示すシーケンス通りにならなければ、メダルの投入エラーとなるからである。従って、図１２の器具は、各スロットマシンの設計に合わせて、基材１の寸法や発光素子４の配設位置がシビアに定められる。
【００２６】
そこで、本実施形態では、メダル投入ブロック１３４のメダル投入口からメダル投入数検出用センサ３２０に至る、メダルの通路の長さを変更可能な構造とすることで、図１２の器具を用いた不正行為を防止する（以下、メダル投入数検出用センサ３２０に至る、メダルの通路を対象通路という。）。本実施形態の場合、メダルセレクタ２０の取付位置を調整可能とすることで、対象通路の長さを変更可能にする。図６は、メダルセレクタ２０の取付構造を示す分解斜視図である。
【００２７】
メダルセレクタ２０は、メダルセレクタ２０のスロットマシン１００に対する取付位置を調整する固定部材２４を介してスロットマシン１００に配設される。この固定部材２４は、スロットマシン１００の前面扉１０２の裏面に固定される部材であり、メダルセレクタ２０はこの固定部材２４を介して前面扉１０２の裏面に取り付けられることになる。なお、固定部材２４には、メダルセレクタ２０の通路の下流側の端部から出たメダルをメダル払出装置３０へ案内するレール部２４ａが設けられている。
【００２８】
本実施形態では、メダルセレクタ２０を予め定めた複数の位置のいずれかにおいて固定部材２４に取り付けられるように構成する。このため、メダルセレクタ２０と固定部材２４とにそれぞれ係合部を設け、メダルセレクタ２０側か固定部材２４側の少なくともいずれかの側の係合部を複数設けることにより、複数の位置でメダルセレクタ２０を取り付けられるようにする。そのような係合部の構成は種々のものが採用できるが、図６の例では以下のように構成している。
【００２９】
まず、メダルセレクタ２０の本体部２１の一方の側面には、上下に離間した突起部２１ｈ及び２１ｉが設けられている。そして、固定部材２４の一方の側面には、この突起部２１ｈ及び２１ｉに対応する複数の穴２４１ａ乃至ｃ及び穴２４２ａ乃至ｃが上下に並んで設けられている。突起部２１ｈはいずれかの穴２４１ａ乃至ｃに挿入され、また、突起部２１ｉはいずれかの穴２４２ａ乃至ｃに挿入される。また、メダルセレクタ２０の本体部２１の他方の側面には、突起部２１ｊが設けられている。そして、固定部材２４の他方の側面には、この突起部２１ｊに対応する複数の溝２４３ａ乃至ｃが設けられている。突起部２１ｊはいずれかの溝２４３ａ乃至ｃに挿入される。係止片２４４は固定部材２４の他方の側面に固定される弾性を有する部材であり、溝２４３ａ乃至ｃに対応する穴が施された端部２４４ａが設けられている。そして、通常時には溝２４３ａ乃至ｃの開放端が端部２４４ａに閉鎖される。
【００３０】
メダルセレクタ２０を固定部材２４に取り付ける場合には、まず、突起部２１ｈをいずれかの穴２４１ａ乃至ｃに、突起部２１ｉをいずれかの穴２４２ａ乃至ｃにそれぞれ挿入する。次に、係止片２４４の端部２４４ａを外側に開くようにして付勢して係止片２４４を撓ませ、突起部２１ｊをいずれかの溝２４３ａ乃至ｃに挿入する。その後、係止片２４４の付勢を止めると係止片２４４が元の状態に戻り、溝２４３ａ乃至ｃの開放端が端部２４４ａに閉鎖される。この結果、突起２１ｊが溝２４３（ａ乃至ｃ）から抜けなくなり、メダルセレクタ２０が固定部材２４に取り付けられることになる。なお、突起部２１ｈ乃至ｊの相対的位置関係と、穴２４１ａ乃至ｃ、穴２４２ａ乃至ｃ並びに溝２４３ａ乃至ｃの相対的位置関係と、は一致するようにこれらが配設されており、突起部２１ｈを例えば穴２４１ａに挿入する場合は、突起部２１ｉは穴２４２ａに、突起部２１ｊは溝２４３ａに挿入することになる。
【００３１】
しかして、本実施形態では、突起部２１ｈ乃至２１ｊにそれぞれ対応する穴２４１ａ乃至ｃ、２４２ａ乃至ｃ及び溝２４３ａ乃至ｃが３つずつ設けられているので、メダルセレクタ２０は上下方向の３つの取付位置が選択できることになる。このため、図７に示すようにメダルセレクタ２０の取付位置により、メダルセレクタ２０のメダルの受入部と、メダル投入ブロック１３４のメダル投入口との間の長さが変更され、対象通路の長さを変更できる。詳細には、図７に示すように、突起部２１ｈを穴２４１ｂに挿入する取付位置を選択する場合に比べて、突起部２１ｈを穴２４１ａに挿入する取付位置を選択した場合は、メダルセレクタ２０の受入部が、穴２４１ａと２４１ｂとの間隔ｈ１だけメダル投入口に近くなる。つまり、対象通路が短くなる。一方、突起部２１ｈを穴２４１ｃに挿入する取付位置を選択した場合は、メダルセレクタ２０の受入部が、穴２４１ｂと２４１ｃとの間隔ｈ２だけメダル投入口から遠くなる。つまり、対象通路が長くなる。
【００３２】
このようにして本実施形態では、図１２に示す器具を用いた不正行為が横行した場合、メダルセレクタ２０の取付位置を変えれるだけで対象通路の長さを３段階で変更でき、当該不正行為に対する迅速な防止対策が可能となる。つまり、図１２に示す器具を用いて不正行為を行おうとしても、２つの発光素子４の配置がメダル投入センサ３２０ａ及び３２０ｂと合致せず、或いは、図１２の器具がメダルセレクタ２０に挿入すること自体が不可能になり、不正行為が防止される。なお、本実施形態ではメダルセレクタ２０の取付位置を３段階で調整できるようにしたが、より多段階でもよいし、また、２段階でもよい。更に、メダルセレクタ２０の取付構造は他の構成も採用できる（後述する）。
【００３３】
また、対象通路の長さの変更は、必ずしもメダルセレクタ２０のメダルの受入部と、メダル投入ブロック１３４のメダル投入口との間の長さの変更によるものでなくてもよい。尤も、対象通路の長さを変更する場合、メダルを案内する追加のガイド部材等が必要とされる場合があるが、メダルセレクタ２０のメダルの受入部とメダル投入ブロック１３４のメダル投入口との間は、上下方向のメダルの通路を構成しており、その間隔を変更するだけで対象通路の長さを変更でき、メダルを案内する追加のガイド部材等が必要とならず、簡便である。
【００３４】
＜制御部＞
次に、図２及び図３を参照して、スロットマシン１００の制御部の回路構成について詳細に説明する。スロットマシン１００の制御部は、大別すると、遊技の中枢部分を制御する主制御部３００と、主制御部３００より送信されたコマンドに応じて各種機器を制御する副制御部４００と、から構成されている。
【００３５】
＜主制御部＞
まず、図２を参照して、スロットマシン１００の主制御部３００について説明する。主制御部３００は、主制御部３００の全体を制御するための演算処理装置であるＣＰＵ３１０や、ＣＰＵ３１０が各ＩＣや各回路と信号の送受信を行うためのデータバス及びアドレスバスを備え、その他、以下に述べる構成を有する。クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００３６】
また、ＣＰＵ３１０には、後述するセンサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００３７】
また、ＣＰＵ３１０には、各ＩＣを制御するためのプログラム、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部においても同様である。また、ＣＰＵ３１０には、外部の信号を受信するための入力インタフェース３６０が接続され、割込み時間ごとに入力インタフェース３６０を介して、メダル投入センサ３２０（３２０ａ乃至３２０ｃ）、スタートレバーセンサ３２１、ストップボタンセンサ３２２、精算ボタンセンサ３２４、メダル払い出しセンサ３２６の状態を検出し、各センサを監視している。
【００３８】
スタートレバーセンサ３２１はスタートレバー１３２の操作を検知するためのセンサである。ストップボタンセンサ３２２はストップボタン１３３乃至１３５のいずれかが押された場合、どのストップボタンが押されたかを検知するためのセンサである。メダル投入ボタンセンサ３２３はメダル投入ボタン１３０、１３１のいずれかが押下された場合、どのメダル投入ボタンが押されたかを検知するためのセンサである。精算ボタンセンサ３２４は、精算ボタン１３２に設けられており、精算ボタン１３２が一回押されると、貯留されているメダル及びベットされているメダルが精算されて払い出されることになる。メダル払い出しセンサ３２６は、払い出されるメダルを検知するためのセンサである。
【００３９】
ＣＰＵ３１０には、さらに、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０乃至１１２の取付台の所定位置に設置されており、リールに設けた遮光片がこのインデックスセンサ３２５を通過するたびにＨレベルになる。ＣＰＵ３１０は、この信号を検出すると、リールが１回転したものと判断し、リールの回転位置情報をゼロにリセットする。出力インタフェース３７０には、リールを駆動させるためのモータを制御するリールモータ駆動部３３０と、メダル払出装置３０のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技回数表示器１２６、貯留枚数表示器１２７等）、電磁ソレノイド２１ｆが接続されている。
【００４０】
また、ＣＰＵ３１０には、乱数発生回路３１７がデータバスを介して接続されている。乱数発生回路３１７は、水晶発振器３１１及び水晶発振器３１６から発振されるクロックに基いて、一定の範囲内で値をインクリメントし、そのカウント値をＣＰＵ３１０に出力することのできるインクリメントカウンタであり、後述する入賞役の内部抽選をはじめ各種抽選処理に使用される。本発実施形態における乱数発生回路３１７は、２つの乱数カウンタを備えている。ＣＰＵ３１０のデータバスには、副制御部４００にコマンドを送信するための出力インタフェース３７１が接続されている。主制御部３００と副制御部４００との情報通信は一方方向の通信であり、主制御部３００は副制御部４００へコマンドを送信するが、副制御部４００から主制御部３００へ何らかのコマンド等を送信することはできない。
【００４１】
＜副制御部＞
次に、図３を参照して、スロットマシン１００の副制御部４００について説明する。副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバス及びアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００４２】
また、ＣＰＵ４１０には、副制御部４００の全体を制御するための命令及びデータ、バックライトの点灯パターンや各種表示器を制御するためのデータが記憶されたＲＯＭ４１２や、データ等を一時的に保存するためのＲＡＭ４１３が各バスを介して接続されている。また、ＣＰＵ４１０には、外部の信号を送受信するための入出力インタフェース４６０が接続されており、入出力インタフェース４６０には、各リール１１０乃至１１２の絵柄を背面より照明するためのバックライト４２０、前面扉１０２の開閉を検出するための扉センサ４２１、ＲＡＭ４１３のデータをクリアにするためのリセットスイッチ４２２が接続されている。
【００４３】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、演出装置制御部５００からの信号を入力するための入力インタフェース４７１、時計ＩＣ４２３、７セグメント表示器４４０への信号を出力するための出力インタフェース４７２等が接続されている。
【００４４】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を店の係員等が確認できるようになっている。更に、出力インタフェース４７０には、デマルチプレクサ４１９が接続されている。デマルチプレクサ４１９は、出力インタフェース４７０から送信された信号を各表示部等に分配する。即ち、デマルチプレクサ４１９は、ＣＰＵ４１０から受信されたデータに応じて上部ランプ１５０、サイドランプ１５１、中央ランプ１５２、腰部ランプ１５３、下部ランプ１５４、リールパネルランプ１２８、タイトルパネルランプ１７０、受け皿ランプ２１０、払出口ストロボ１７１を制御する。タイトルパネルランプ１７０は、タイトルパネル１６２を照明するランプであり、払出口ストロボ１７１は、払い出し口の内側に設置されたストロボタイプのランプである。なお、ＣＰＵ４１０は、演出装置制御部５００への信号送信は、デマルチプレクサ４１９を介して実施する。演出装置制御部５００は、図１の演出装置６００を制御する制御部である。
【００４５】
＜遊技の基本的制御＞
図４は、本実施形態のスロットマシン１００における遊技の基本的制御を示すフローチャートである。遊技の基本的制御は、ＭａｉｎＣＰＵ３１０が中心になって行い、電源断等を検知しないかぎり、同図の遊技処理を実行する。以下、この遊技処理について説明する。電源投入が行われると、まず、Ｓ１０１で主制御部３００を初期化する初期処理が実行される。Ｓ１０２では、遊技開始処理を行う。ここでは、メダル投入に関する処理（メダル投入数のカウントや投入エラーの処理等）と、スタートレバー１３５による遊技の開始に関する処理等を行う。
【００４６】
Ｓ１０３では、乱数発生回路３１７で発生させた乱数を取得する。Ｓ１０４では、Ｓ１０３で取得した乱数値と、ＲＯＭ３１２に格納されている入賞役抽選テーブルを用いて、入賞役の内部抽選を行う。内部抽選の結果、いずれかの入賞役に内部当選した場合、ＲＡＭ３１３に設定されたその入賞役のフラグがＯＮになる。入賞役としては、例えば、リプレイ（再遊技）、小役、ボーナス（ＢＢ、ＲＢ）等を挙げることができる。
【００４７】
なお、各入賞役には、メダルのベット数及び設定値（１〜６）ごと、に内部抽選の当選確率が設定されており、入賞役抽選テーブルはこれに従って構成され、抽選時に取得される乱数値の範囲（例えば、０〜１６３８４）は予めいくつかの領域（各当選確率の大きさに相当する領域）に分割されており、各領域に各入賞役の当選やはずれが対応付けられている。そして、入賞役の内部抽選では、取得した乱数値がどの範囲に属するかで入賞役の内部当選の当否が決定する。この方式は他の抽選処理でも採用される。
【００４８】
Ｓ１０４では、内部抽選の後、リール停止制御テーブルを選択する処理を行う。これは、各リールの停止操作に対する制御を選択する処理である。ここで、リール１１０乃至１１２の停止制御について簡単に説明する。リールの停止制御は、予め定めた複数種類のリール停止制御テーブルの中から内部抽選結果に基づいていずれかを選択し、選択したリール停止制御テーブルに基づき行う。リール停止制御テーブルは主制御部３００のＲＯＭ３１２に格納されている。リール停止制御テーブルは、内部抽選で内部当選した入賞役か、又は、いわゆるフラグ持ち越し中の入賞役については、対応する絵柄組合せが揃って表示されることが許容される一方、そうでない場合には各入賞役に対応する絵柄組合せが揃って表示されないように構成されている。例えば、小役の「ベル」に内部当選していない場合、「ベル」の絵柄組合せが表示されるタイミングでリール１１０乃至１１２の停止操作が行われたとしても、リール１１０乃至１１２は直ちに停止せずにベルの絵柄組合せが揃わないように制御される。逆に、「ベル」に内部当選している場合には、ベルの絵柄組合せが表示されるタイミングでリール１１０乃至１１２の停止操作が行われなかったとしても、一定の範囲でリール１１０乃至１１２は直ちに停止せずにベルの絵柄組合せが揃うように制御されることになる。
【００４９】
Ｓ１０５では、全リール１１０乃至１１２の回転を開始させる。その後、ストップボタン１３７乃至１３９の受け付けが可能となる。Ｓ１０６ではリールの停止制御を行う。ここでは、ストップボタン１３７乃至１３９に対する操作に応じて、リール１１０乃至１１２のうち、操作されたストップボタン１３７乃至１３９対応するいずれかのリールをＳ１０４で選択したリール停止制御テーブルに従って停止させる。全リール１１０乃至１１２が停止するとＳ１０７へ進む。
テーブルに従って停止させる。
【００５０】
Ｓ１０７では、入賞判定を行う。ここでは、有効化された入賞ライン１１４上に、内部当選した入賞役又はフラグ持越し中の入賞役に対応する絵柄組合せが表示された場合にその入賞役に入賞したと判定する。例えば、有効化された入賞ライン１１４上に、「ベル−ベル−ベル」が揃っていたならばベル入賞と判定する。また、入賞した入賞役に対応するフラグがリセットされる。Ｓ１０８では、払い出しのある何らかの入賞役に入賞していれば、その入賞役に対応する枚数のメダルを払い出す。Ｓ１０９では、遊技状態制御処理を実行する。この遊技状態制御処理では、遊技状態を移行するための制御が行われ、例えば、ビッグボーナスやレギュラーボーナスのようなボーナス入賞の場合に次回から対応するボーナスゲームを開始できるよう準備し、それらの最終遊技では、次回から通常遊技が開始できるよう準備する。以上により１ゲームの処理が終了し、その後Ｓ１０２へ戻って同様の処理を繰り返すことにより遊技が進行することになる。
【００５１】
＜第２実施形態＞
次に、図１２の器具を用いた不正行為の防止構造の他の実施形態について説明する。図８は本発明の第２実施形態に係るメダルセレクタ２０’の取付構造を示す分解斜視図である。上記第１実施形態では、メダルセレクタ２０を予め定めた複数の位置のいずれかにおいて固定部材２４に取り付けられるように構成したが、本実施形態ではメダルセレクタ２０’を予め定めた範囲のいずれかの位置において固定部材２４’に取り付けるように構成することで、対象通路の長さを変更可能とする。このため、メダルセレクタ２０と固定部材２４とにそれぞれ係合部を設け、メダルセレクタ２０側か固定部材２４側の少なくともいずれかの側の係合部が一定の長さを有し、その範囲の任意の位置において他方の側の係合部が係合できるように構成する。そのような係合部の構成は種々のものが採用できるが、図８の例では以下のように構成している。以下、上記第１実施形態と異なる構成についてのみ説明する。
【００５２】
まず、メダルセレクタ２０’の本体部２１’の一方の側面には、上下に離間した突起部２１ｈ’及び２１ｉ’が設けられている。これらの突起部２１ｈ’及び２１ｉ’は周面にネジが刻設されて円柱状に構成されている。そして、固定部材２４’の一方の側面には、この突起部２１ｈ’及び２１ｉ’がそれぞれ挿入される長穴２５２ａ及び２５２ｂが設けられている。長穴２５２ａ及び２５２ｂは上下に離間して設けられていると共に、それぞれ上下に延在している。また、メダルセレクタ２０’の本体部２１’の他方の側面には、突起部２１ｊ’が設けられている。この突起部２１ｊ’も、その周面にネジが刻設されて円柱状に構成されている。そして、固定部材２４の他方の側面には、弾性を有する係止片２５３が固定されており、この係止片２５３には突起部２１ｊ’が挿入される長穴２５３ａが設けられている。この長穴２５３ａも上下に延在している。
【００５３】
メダルセレクタ２０’を固定部材２４’に取り付ける場合には、まず、係止片２５３の端部を外側に開くようにして付勢して係止片２５３を撓ませ、突起部２１ｈ’乃至２１ｊ’をそれぞれ長穴２５２ａ、２５２ｂ、２５３ａに挿入する。その後、係止片２５３の付勢を止めると係止片２５３が元の状態に戻る。続いて、固定部材２４’の一方の側面を本体部２１’の側面と挟み込むようにして蝶ネジ２５１ａ及び２５１ｂを突起部２１ｈ’及び２１ｉ’に螺合し、また、係止片２５３を本体部２１’の側面と挟み込むようにして蝶ネジ２５３ｂを突起部２１ｊ’に螺合し、メダルセレクタ２０’を固定部材２４’に固定する。各突起部２１ｈ’乃至２１ｊ’は、それぞれ長穴２５２ａ、２５２ｂ、２５３ａに挿入されるので、その穴の長さの範囲の任意の位置でメダルセレクタ２０’を固定部材２４’を固定することができる。また、長穴２５２ａ、２５２ｂ、２５３ａは上下方向に延在しているので、メダルセレクタ２０’は上下方向に無段階の取付位置が選択できる。従って、図７を参照して上述した第１実施形態の場合と同様に、メダルセレクタ２０の取付位置により、メダルセレクタ２０’のメダルの受入部と、メダル投入ブロック１３４のメダル投入口との間の長さが変更され、対象通路の長さを変更でき、図１２の器具を用いた不正行為を防止できる。
【００５４】
＜第３実施形態＞
次に、図１２の器具を用いた不正行為の防止構造の更に他の実施形態について説明する。図９は本発明の第３実施形態に係るメダルセレクタ２０”の取付構造を示す分解斜視図である。本実施形態は、上記第２実施形態の場合と同様に、メダルセレクタ２０”を予め定めた範囲のいずれかの位置において固定部材２４”に取り付けるように構成することで、対象通路の長さを変更可能とするもので、特に、メダルセレクタ２０”を送りネジ機構により予め定めた範囲のいずれかの位置に取り付けるように構成したものである。以下、上記第２実施形態と異なる構成についてのみ説明する。
【００５５】
メダルセレクタ２０”の本体部２１”の一方の側面には、上下に離間したブロック２１ｈ”及び２１ｉ”が設けられている。これらのブロック２１ｈ”及び２１ｉ”は、直方体形状をなし、ネジ棒２６２ａが螺合する上下方向のネジ穴が貫通している。そして、固定部材２４”の一方の側面には、上下に離間したブロック２６１ａ及び２６１ｂが設けられている。これらのブロック２６１ａ及び２６１ｂは、直方体形状をなし、上下方向にネジ棒２６２ａが通る穴が貫通している。また、ブロック２６１ａの下、及び、ブロック２６１ｂの上、の側面には、ブロック２１ｈ”及び２１ｉ”がそれぞれ挿入される長穴２６３ａ及び２６３ｂが設けられている。長穴２６３ａ及び２６３ｂは上下に延在している。メダルセレクタ２０”の本体部２１”の他方の側面及び固定部材２４”の他方の側面の構成は上述した第２実施形態と同じである。
【００５６】
メダルセレクタ２０”を固定部材２４”に取り付ける場合には、まず、係止片２５３の端部を外側に開くようにして付勢して係止片２５３を撓ませ、ブロック２１ｈ”及び２１ｉ”並びに突起部２１ｊ’をそれぞれ、長穴２６３ａ、２６３ｂ、２５３ａに挿入する。その後、係止片２５３の付勢を止めると係止片２５３が元の状態に戻る。次に、ネジ棒２６２ａの上端（ネジが刻設されていない部分）が嵌めこまれる環状のキャップ２６２ｂをブロック２６１ａの穴に嵌合する。続いて、ネジ棒２６２ａを、ブロック２６１ｂ→ブロック２１ｉ”→ブロック２１ｈ”→キャップ２６２ｂ（ブロック２６１ａ）の順でこれらを貫通させる。また、係止片２５３を本体部２１”の側面と挟み込むようにして蝶ネジ２５３ｂを突起部２１ｊ’に螺合する。これにより、メダルセレクタ２０”を固定部材２４”に固定する。
【００５７】
ネジ棒２６２ａを捻って回転させると、ネジ棒２６２ａ自体はその場で回転するため、これと螺合するブロック２１ｈ”及び２１ｉ”の位置がネジ棒２６２ａの回転方向に従って上下し、つまり、メダルセレクタ２０”の取付位置を上下に変更できる。そして、ブロック２１ｈ”及び２１ｉ”、突起部２１ｊ’は、それぞれ挿入される長穴２６３ａ及び２６３ｂ、２５３ａに挿入されるので、ネジ棒２６２ａに対するブロック２１ｈ”及び２１ｉ”の螺合の位置を調整することで、その穴の長さの範囲の任意の位置でメダルセレクタ２０”を固定部材２４”を固定することができる。また、長穴２６３ａ及び２６３ｂ、２５３ａは上下方向に延在しているので、メダルセレクタ２０”は上下方向に無段階の取付位置が選択できる。従って、図７を参照して上述した第１実施形態及び第２実施形態の場合と同様に、メダルセレクタ２０”の取付位置により、メダルセレクタ２０”のメダルの受入部と、メダル投入ブロック１３４のメダル投入口との間の長さが変更され、対象通路の長さを変更でき、図１２の器具を用いた不正行為を防止できる。
【００５８】
＜第４実施形態＞
次に、図１２の器具を用いた不正行為の防止構造の更に他の実施形態について説明する。上記各実施形態ではメダルセレクタの取付位置を調整することで、対象通路の長さを変更可能としたが、本実施形態ではメダル投入ブロック１３４の取付位置を調整することで対象通路の長さを変更可能とする。本実施形態では、メダル投入ブロック１３４の上下方向の取付位置を調整可能とすることで、メダルセレクタ２０のメダルの受入部と、メダル投入ブロック１３４のメダル投入口との間の長さを変更し、これにより対象通路の長さを変更する。なお、上述した各実施形態の構成との併用も可能である。図１０（ａ）及び（ｂ）は本発明の第４実施形態に係るメダル投入ブロック１３４、１３４’の取付構造を示す分解斜視図である。まず、図１０（ａ）の構成から説明する。
【００５９】
メダル投入ブロック１３４は、その下部に取付板が設けられており、これが、スロットマシン１００の前面扉１０２の前面中段の位置に設けられたスリットに挿入される。同図に示すように取付板の両側には、上下方向に並ぶ複数の穴１３４ａ乃至１３４ｃ及び１３４ｄ乃至１３４ｆがそれぞれ設けられている。前面扉１０２の裏面には、穴１３４ａ乃至１３４ｃ及び１３４ｄ乃至１３４ｆに対応する、ネジ穴２７１ａ乃至２７１ｃ及び２７１ｄ乃至２７１ｆがその両側に設けられた固定板２７１が固定されている。そして、取付板を挟んでボルト２７２をネジ穴２７１ａ乃至２７１ｃ及び２７１ｄ乃至２７１ｆに螺合することでメダル投入ブロック１３４を取り付ける。
【００６０】
ここで、同図においてはボルト２７２を一つのみ図示しているが、穴１３４ａ乃至１３４ｃとネジ穴２７１ａ乃至２７１ｃとの組、及び、穴１３４ｄ乃至１３４ｆとネジ穴２７１ｄ乃至２７１ｆとの組、にそれぞれ１つずつ、合計２つのボルト２７２を用いてメダル投入ブロック１３４を取り付けることになる。しかして、これらの各組におけるボルト２７２の通し方により、メダル投入ブロック１３４は上下方向に複数の取付位置を選択することができる。つまり、ボルト２７２を、穴１３４ａに通していずれかのネジ穴２７１ａ乃至２７１ｃと螺合する場合、穴１３４ｂに通していずれかのネジ穴２７１ａ乃至２７１ｃと螺合する場合、穴１３４ｃに通していずれかのネジ穴２７１ａ乃至２７１ｃと螺合する場合、が選択できる。
【００６１】
なお、本実施形態の場合、穴１３４ａ乃至１３４ｆの相対的位置関係と、ネジ穴２７１ａ乃至２７１ｆの相対的位置関係と、は一致するようにこれらが配設されており、一方のボルト２７２を例えば穴１３４ａとネジ穴２７１ａに挿入する場合は、他方のボルト２７２は穴１３４ｄとネジ穴２７１ｄに挿入することになる。従って、最大で９通り（３×３）の取付位置が選択できるが、本実施形態では、各組の穴、ネジ穴の間隔を等間隔としているため、５通りの取付位置を選択できることになる。また、各取付位置によってメダル投入ブロック１３４の上下方向の位置が変わるので、メダルセレクタ２０のメダルの受入部と、メダル投入ブロック１３４のメダル投入口との間の長さを変更できる。これにより対象通路の長さを変更して図１２の器具による不正行為を防止できる。このように本実施形態では、メダル投入ブロック１３４を予め定めた複数の位置のいずれかにおいて取り付けられるように構成し、メダル投入ブロック１３４の取付位置を多段階で調整できるようにしたが、その段数は２段階以上であればよい。
【００６２】
次に、図１０（ｂ）の例は、メダル投入ブロック１３４’の取付位置を無段階で選択できる例を示している。つまり、図１０（ｂ）の例はメダル投入ブロック１３４’を予め定めた範囲のいずれかの位置において取り付けるように構成した例を示すもので、メダル投入ブロック１３４’の下部の取付板の両側には、上下方向に延在する長穴１３４ｇ及び１３４ｈが設けられており、固定板２７３の両側には、それぞれ一つずつネジ穴２７３ａ及び２７３ｂが設けられている。そして、取付板を挟んで、２つのボルト２７４を一方は長穴１３４ｇを通してネジ穴２７３ａと、他方は長穴１３４ｈを通してネジ穴２７３ｂと、それぞれ螺合させることでメダル投入ブロック１３４’を取り付ける。長穴１３４ｇ及び１３４ｈは上下方向に延在しているので、メダル投入ブロック１３４’は上下方向に無段階の取付位置が選択でき、メダルセレクタ２０のメダルの受入部と、メダル投入ブロック１３４のメダル投入口との間の長さを変更できる。これにより対象通路の長さを変更して図１２の器具による不正行為を防止できる。
【図面の簡単な説明】
【００６３】
【図１】本発明の一実施形態に係るスロットマシン１００の外観斜視図である。
【図２】主制御部３００の回路ブロック図である。
【図３】副制御部４００の回路ブロック図である。
【図４】スロットマシン１００における遊技の基本的制御を示すフローチャートである。
【図５】（ａ）はメダルセレクタ２０の分解斜視図、（ｂ）はセンサユニット２１ｇの外観斜視図、（ｃ）はセンサ３２０ａ及び３２０ｂの構成及びメダルの検出態様を示す断面図である。
【図６】メダルセレクタ２０の取付構造を示す分解斜視図である。
【図７】メダルセレクタ２０におけるメダルの通過態様及びメダルセレクタ２０の取付位置による通路の変化を示す図である。
【図８】本発明の第２実施形態に係るメダルセレクタ２０’の取付構造を示す分解斜視図である。
【図９】本発明の第３実施形態に係るメダルセレクタ２０’’の取付構造を示す分解斜視図である。
【図１０】（ａ）及び（ｂ）は本発明の第４実施形態に係るメダル投入ブロック１３４、１３４’の取付構造を示す分解斜視図である。
【図１１】（ａ）は２つのセンサによるメダルの通過の検出態様を示すタイミングチャート、（ｂ）は器具を用いた不正行為の場合の２つのセンサの検出態様を示すタイミングチャートである。
【図１２】不正行為に用いられる器具の構成図である。
【符号の説明】
【００６４】
１００  スロットマシン
【図１】
2005288006.tif 000003
【図２】
2005288006.tif 000004
【図３】
2005288006.tif 000005
【図４】
2005288006.tif 000006
【図５】
2005288006.tif 000007
【図６】
2005288006.tif 000008
【図７】
2005288006.tif 000009
【図８】
2005288006.tif 000010
【図９】
2005288006.tif 000011
【図１０】
2005288006.tif 000012
【図１１】
2005288006.tif 000013
【図１２】
2005288006.tif 000014